(57)【要約】    【課題】車両運転者の注意を強く喚起し得る発光表示装置を提供する。    【解決手段】第１の発光部２００と、第２の発光部３００とを含む。第１の発光部２００及び第２の発光部３００のそれぞれは、同一の面側に、環状に配置され、互いに逆方向に回転するように、点滅駆動される。第１の発光部２００及び第２の発光部３００は、同一面側に環状に配置され、互いに逆方向に回転するように点滅駆動されるタイミングと、少なくとも一方が停止するタイミングとを有していてもよい。【選択図】      図１
2005129300.tif 000002
【特許請求の範囲】
【請求項１】
第１の発光部と、第２の発光部とを含む発光表示装置であって、
前記第１の発光部及び前記第２の発光部は、同一面側に環状に配置され、互いに逆方向に回転するように点滅駆動される
発光表示装置。
【請求項２】
第１の発光部と、第２の発光部とを含む発光表示装置であって、
前記第１の発光部及び前記第２の発光部は、同一面側に環状に配置され、互いに逆方向に回転するように点滅駆動されるタイミングと、少なくとも一方が停止するタイミングとを有する
発光表示装置。
【請求項３】
請求項１または２に記載された発光表示装置であって、
前記第１の発光部及び前記第２の発光部は、回転方向が切り替わる
発光表示装置。
【請求項４】
請求項１乃至３の何れかに記載された発光表示装置であって、
前記第１の発光部及び前記第２の発光部は、互いに隣り合って配置されている
発光表示装置。
【請求項５】
請求項４に記載された発光表示装置であって、
前記第１の発光部及び前記第２の発光部は、一方が他方の外側に配置されている
発光表示装置。
【発明の詳細な説明】
【技術分野】
【０００１】
本発明は、道路工事現場において用いられる発光表示装置に関する。
【背景技術】
【０００２】
道路工事現場において、工事中であることを表示する標識がなければ、特に夜間には、自動車、自転車などの車両運転者が、それとは気づかずに、道路工事現場に突っ込んでしまい、怪我などを負う危険性がある。また、車両の運転者の不注意等が原因で、工事や交通整理に従事する作業員がはねられる、いわゆる、もらい事故が発生するおそれもある。
【０００３】
そこで、道路工事現場では、道路交通の安全及び作業員の安全等を図るべく、車両進入口に発光表示装置を設置して、運転者の注意を喚起し、車両に徐行運転をさせている。
【０００４】
従来の発光表示装置の一例として、例えば、特許文献１は、点灯／消灯状態のタイミングを合せることにより、円周上に一列に配置された複数の発光体が、あたかも一方向に回転しているように見える発光表示装置を開示している。
【０００５】
しかしながら、特許文献１に記載された発光表示装置は、単調な１方向の回転運動を繰り返すだけであるから、運転者に対する注意喚起力が弱い。
【特許文献１】実用新案登録第２５１４９８０号公報
【発明の開示】
【発明が解決しようとする課題】
【０００６】
本発明の課題は、車両運転者の注意を強く喚起し得る発光表示装置を提供することである。
【課題を解決するための手段】
【０００７】
上述した課題を解決するため、本発明に係る発光表示装置は、第１の発光部と、第２の発光部とを含む。第１の発光部及び第２の発光部のそれぞれは、同一平面上に、環状に配置され、互いに逆方向に回転するように、点滅駆動される。
【０００８】
上述したように、本発明に係る発光表示装置では、第１の発光部及び第２の発光部のそれぞれが、同一平面上に配置されているから、第１の発光部及び第２の発光部の設けられた平面を、運転者に対面するように配置し、第１の発光部及び第２の発光部を、運転者に同時に視認させることができる。
【０００９】
第１の発光部及び第２の発光部のそれぞれは、環状に配置され、回転するように、点滅駆動されるから、発光部分の点滅軌跡は、その環状配置に沿って回転する動きとして視認される。このため、点灯／消灯状態を繰り返す点滅灯と比較して、車両運転者の注意を、強く喚起することができる。
【００１０】
しかも、本発明に係る発光表示装置では、第１の発光部及び第２の発光部のそれぞれが、互いに逆方向に回転するように、点滅駆動されるから、単調な１方向の回転運動を繰り返す従来技術と比較して、運転者の注意を非常に強く喚起することができる。
【００１１】
本発明の他の特徴及びそれによる作用効果は、添付図面を参照し、実施例によって更に詳しく説明する。
【発明を実施するための最良の形態】
【００１２】
図１は本発明に係る発光表示装置の使用状態を示す正面図、図２、図３は図１に示した発光表示装置の拡大図である。図示の発光表示装置は、例えば、道路工事に用いられる移動可能な発光表示装置である。
【００１３】
図１に図示された発光表示装置は、第１の発光部２００と、第２の発光部３００と、駆動装置５０１、５０２と、表示板１０１と、支柱１０２と、支持体１０３とを含む。第１の発光部２００及び第２の発光部３００は、同一面側に環状に配置され、互いに逆方向ａ１，ａ２に回転するように点滅駆動される。第１の発光部２００及び第２の発光部３００は、同一の平面上に設けてもよいし、段差を有する２つの段面のそれぞれに設けてもよいし、傾斜面に設けてもよいし、凹凸面に設けてもよい。要は、同一方向から見て、同時に見えるように配置する。
【００１４】
支柱１０２は、表示板１０１を支えるためのものであり、表示板１０１に接続されている。支持部１０３は、支柱１０２及び表示板１０１を、安定に支持固定する。
【００１５】
駆動装置５０１は、第１の発光部２００を駆動するための回路であり、駆動装置５０２は、第２の発光部３００を駆動するための回路である。駆動装置５０１、５０２は、例えば、インバータ回路、発振回路、遅延回路等を組合せて構成でき、表示板１０１の背面に設けることができる。駆動装置５０１，５０２は、単一の装置として構成することもできる。
【００１６】
図２において、第１の発光部２００は、複数の発光体２１０〜２３３を含み、第２の発光部３００は、複数の発光体３１０〜３２１を含む。発光体２１０〜２３３及び発光体３１０〜３２１は、表示板１０１の正面に、環状に配置されている。発光体２１０〜２３３は、発光体３１０〜３２１に隣り合い、かつ、発光体３１０〜３２１の外側に配置されている。発光体２１０〜２３３、３１０〜３２１の個数は、任意である。
【００１７】
本実施例の第１の発光部２００及び第２の発光部３００は、複数の発光体で構成されているが、発光体同士の間隔を無くし、環状の１つの発光体を構成してもよい。あるいは、面状の連続発光体として構成してもよい。
【００１８】
図３に示すように、発光体２１０〜２３３、３１０〜３２１は、支持体４０１上に、複数の発光要素４０２を配置して構成されている。この構成によれば、同一の発光体に属する発光要素４０２の群を、実質的に同一タイミングで発光させることにより、単体の発光要素４０２よりも、大きな発光量を得ることができる。
【００１９】
発光要素４０２としては、発光ダイオードを用いることが好ましい。発光ダイオードは、フィラメント灯とは異なり、断芯を生じることがなく、長寿命で、信頼性の高い発光表示装置が得られるからである。図示は省略したが、発光要素４０２の発光面（光出射面）側にレンズや透明フード等の光学系を設けてもよい。
【００２０】
次に、図２を参照して、本発明に係る発光表示装置の発光動作について述べる。図２において、黒丸で示した発光体２２３、３１９は、点灯状態を示しており、白丸で示した発光体２１０〜２２２、２２４〜２３３、３１０〜３１８、３２０、３２１は、滅灯状態を示している。
【００２１】
図２に示した発光表示装置は、発光体２１０〜２３３及び発光体３１０〜３２１のそれぞれが、正面から見て、互いに逆方向に回転するように、点滅駆動される。具体的には、第１の発光部２００では、発光体２１０〜２３３が、例えば、矢印ａ２で示す時計回り方向に、順次に点灯してゆく。第２の発光部３００では、発光体３１０〜３２１が、矢印ａ２で示す反時計回り方向に順次に点灯してゆく。図示とは、逆方向に回転させてもよい。
【００２２】
あるいは、第１の発光部２００及び第２の発光部３００を、互いに逆方向に回転するように点滅駆動するタイミングと、第１の発光部２００及び第２の発光部３００の少なくとも一方、例えば、第２の発光部３００が停止（継続的滅灯）するタイミングとを、交互に繰り返すように駆動してもよい。第２の発光部３００のみならず、第１の発光部２００をも停止（継続的滅灯）させてもよいし、この停止タイミングの後に、第１の発光部２００及び第２の発光部３００を、従前とは逆方向に点滅駆動してもよい。
【００２３】
図示実施例においては、点灯状態の発光体の数よりも滅灯状態の発光体の数を多くして、点灯部分が回転して見えるように点滅駆動しているが、滅灯状態の発光体の数よりも点灯状態の発光体の数を多くして、滅灯部分が回転して見えるように点滅駆動してもよい。
【００２４】
発光体２１０〜２３３、及び、発光体３１０〜３２１の回転速度は、任意である。例えば、発光体２１０〜２３３、３１０〜３２１の移動は、等速度運動や、等加速度運動にすることができる。また、発光体２１０〜２３３の回転と、発光体３１０〜３２１の回転とを同期させてもよい。
【００２５】
発光体２１０〜２３３、３１０〜３２１の点灯状態の光色は、任意である。例えば、発光体２１０〜２３３、３１０〜３２１の光色は、赤色、黄色、青色、白色等にすることができる。
【００２６】
上述したように、図示の発光表示装置では、第１の発光部２００及び第２の発光部３００のそれぞれが、同一平面上に配置されているから、第１の発光部２００及び第２の発光部３００の設けられた平面を、運転者に対面するように配置し、第１の発光部２００及び第２の発光部３００を、運転者に同時に視認させることができる。
【００２７】
また、第１の発光部２００及び第２の発光部３００のそれぞれは、環状に配置され、回転するように、点滅駆動されるから、発光部の点滅軌跡は、その環状配置に沿って回転する動きとして視認される。このため、定点において、点灯／消灯状態を繰り返す点滅灯と比較して、車両運転者の注意を、強く喚起することができる。
【００２８】
しかも、本発明に係る発光表示装置では、第１の発光部２００及び第２の発光部３００のそれぞれが、互いに逆方向に回転するように、点滅駆動されるから、単調な１方向の回転運動を繰り返す従来技術と比較して、運転者の注意を非常に強く喚起することができる。
【００２９】
第１の発光部２００及び第２の発光部３００を、互いに逆方向に回転するように点滅駆動するタイミングと、第１の発光部２００及び第２の発光部３００の少なくとも一方を停止（継続的滅灯）するタイミングとを含む場合は、運転者の注意を更に強く喚起することができる。
【００３０】
また、図示の発光表示装置は、電子回路手段によって回転発光を得るので、機械的回転部分がない。このため、機械的回転部分の摩耗や損傷等の故障を生じない。
【００３１】
図４は、本発明に係る発光表示装置の別の実施例を示す正面図である。図において、図１〜図３に現れた構成部分と同一の部分については、同一の参照符号を付し、重複説明を省略する。
【００３２】
図４において、黒丸で示した発光体２１１〜２１４、２２３〜２２６、３１３〜３１５、３１９〜３２１は、点灯状態を示しており、白丸で示した発光体２１０、２１５〜２２２、２２７〜２３３、３１０〜３１２、３１６〜３１８は、滅灯状態を示している。
【００３３】
図４に示した発光表示装置は、発光体２１０〜２３３及び発光体３１０〜３２１のそれぞれが、互いに逆方向に回転するように、点滅駆動される。第１の発光部２００は、赤色に点灯、又は、滅灯し、第２の発光部３００は、青色に点灯、又は、滅灯する。
【００３４】
図示の発光表示装置は、図１〜図３に示した発光表示装置と同様の構成を有するので、同様の作用効果を奏することができる。
【００３５】
また、図示の発光表示装置は、第１の発光部２００の光色（赤色）と、第２の発光部３００の光色（青色）とを異ならせているので、図１〜図３に示した発光表示装置と比較して、更に強い注意喚起力を有する。
【００３６】
図５は、本発明に係る発光表示装置の更に別の実施例を示す正面図である。図において、図１〜図４に現れた構成部分と同一の部分については、同一の参照符号を付し、重複説明を省略する。
【００３７】
図５において、第１の発光部２００は、複数の発光体が、２つの円周を隣接させた環状に配置されている。第２の発光部３００は、第１の発光部２００に隣り合い、かつ、第１の発光部２００の内側に配置されている。
【００３８】
図において、第１の発光部２００は、点灯した発光体が、上部の円周を時計回りの矢印ａ１方向に移動した後、下部の円周を反時計回りの矢印ａ３方向に移動し、再び、上部の円周を矢印ａ１で示す時計回り方向に移動する。第２の発光部３００は、点灯した発光体が、上部の円周を矢印ａ２で示す反時計回り方向に移動するとともに、下部の円周を矢印ａ４で示す時計回り方向に移動する。
【００３９】
図示の発光表示装置は、図１〜図４に示した発光表示装置と同様の構成を有するので、同様の作用効果を奏することができる。
【００４０】
図６は、本発明に係る発光表示装置の更に別の実施例を示す正面図である。図において、図１〜図５に現れた構成部分と同一の部分については、同一の参照符号を付し、重複説明を省略する。
【００４１】
図示の発光表示装置は、第１の発光部２００と、第２の発光部３００と、第３の発光部６００とを含む。第１の発光部２００、第２の発光部３００及び第３の発光部６００は、４角形の環状に配置されている。第１の発光部２００は、第２の発光部３００の外側に配置され、第３の発光部６００は、第１の発光部２００の外側に配置されている。
【００４２】
図において、第１の発光部２００は、点灯した発光体が、矢印ａ１で示す時計回り方向に移動する。第２の発光部３００は、点灯した発光体が、反時計回りの矢印ａ２方向に移動する。第３の発光部６００は、点灯した発光体が、矢印ａ６で示す反時計回り方向に移動する。第１の発光部２００及び第２の発光部３００が図示とは逆方向に回転しえること、点滅駆動のタイミングと、停止（継続的滅灯）のタイミングと野組み合わせを採りえること等は、既に述べたとおりである。
【００４３】
図示の発光表示装置は、図１〜図５に示した発光表示装置と同様の構成を有するので、同様の作用効果を奏することができる。
【００４４】
図７は、本発明に係る発光表示装置の更に別の実施例を示す正面図、図８は図７に示した発光表示装置の拡大図である。図において、図１〜図６に現れた構成部分と同一の部分については、同一の参照符号を付し、重複説明を省略する。
【００４５】
図７において、第１の発光部２００は、複数の発光体２１０〜２３３を含み、第２の発光部３００は、複数の発光体３１０〜３２１を含む。
【００４６】
図８において、発光体２１０〜２３３、３１０〜３２１は、支持体４０１上に、複数の発光要素４０２、４０３が配置されて構成されている。発光要素４０２は、例えば、赤色の発光ダイオードであり、発光要素４０３は、例えば、青色の発光ダイオードである。
【００４７】
発光要素４０２及び発光要素４０３は、互いに同期しており、同一の発光体において、発光要素４０２の群が点灯したとき、発光要素４０３の群が滅灯する。
【００４８】
再び、図７において、黒丸で示した発光体２２３、３１９は、赤色の点灯状態を示しており、白丸で示した発光体２１０〜２２２、２２４〜２３３、３１０〜３１８、３２０、３２１は、青色の点灯状態を示している。
【００４９】
図示の発光表示装置において、第１の発光部２００は、赤色点灯の発光体が、時計回りの矢印ａ１方向に移動し、赤色の発光ダイオードが滅灯した発光体が、青色点灯する。同様に、第２の発光部３００は、赤色点灯の発光体が、反時計回りの矢印ａ２方向に移動し、赤色の発光ダイオードが滅灯した発光体が、青色点灯する。
【００５０】
図７に示した発光表示装置は、図１〜図６に示した発光表示装置と同様に、発光体２１０〜２３３及び発光体３１０〜３２１のそれぞれが、互いに逆方向に回転するように、点滅駆動されるから、図１〜図６に示した発光表示装置と同様の優れた作用効果を奏することができる。
【００５１】
図９は、本発明に係る発光表示装置の更に別の実施例を示す正面図である。図において、図１〜図８に現れた構成部分と同一の部分については、同一の参照符号を付し、重複説明を省略する。
【００５２】
図９において、第１の発光部２００、及び、第２の発光部３００は、隣接して配置されている。第１の発光部２００の点灯した発光体は、矢印ａ１で示す時計回り方向に移動し、第２の発光部３００の点灯した発光体は、矢印ａ２で示す反時計回り方向に移動する。
【００５３】
図示の発光表示装置は、図１〜図８に示した発光表示装置と同様の構成を有するので、同様の作用効果を奏することができる。
【００５４】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００５５】
【図１】本発明に係る発光表示装置の使用状態を示す正面図である。
【図２】図１に示した発光表示装置の拡大図である。
【図３】図１に示した発光表示装置の別の拡大図である。
【図４】本発明に係る発光表示装置の別の実施例を示す正面図である。
【図５】本発明に係る発光表示装置の更に別の実施例を示す正面図である。
【図６】本発明に係る発光表示装置の更に別の実施例を示す正面図である。
【図７】本発明に係る発光表示装置の更に別の実施例を示す正面図である。
【図８】図７に示した発光表示装置の拡大図である。
【図９】本発明に係る発光表示装置の更に別の実施例を示す正面図である。
【符号の説明】
【００５６】
２００                第１の発光部
３００                第２の発光部
５０１、５０２        駆動装置
１０１                表示板
【図１】
2005129300.tif 000003
【図２】
2005129300.tif 000004
【図３】
2005129300.tif 000005
【図４】
2005129300.tif 000006
【図５】
2005129300.tif 000007
【図６】
2005129300.tif 000008
【図７】
2005129300.tif 000009
【図８】
2005129300.tif 000010
【図９】
2005129300.tif 000011
【手続補正書】
【提出日】平成16年2月19日(2004.2.19)
【手続補正１】
【補正対象書類名】特許請求の範囲
【補正対象項目名】請求項１
【補正方法】変更
【補正の内容】
【請求項１】
第１の発光部と、第２の発光部と、駆動装置とを含む発光表示装置であって、
前記第１の発光部及び前記第２の発光部は、同一面側に環状に配置され、前記駆動装置により、互いに逆方向に回転するように点滅駆動される
発光表示装置。
【手続補正２】
【補正対象書類名】特許請求の範囲
【補正対象項目名】請求項２
【補正方法】変更
【補正の内容】
【請求項２】
第１の発光部と、第２の発光部と、駆動装置とを含む発光表示装置であって、
前記第１の発光部及び前記第２の発光部は、同一面側に環状に配置され、前記駆動装置により、互いに逆方向に回転するように点滅駆動されるタイミングと、少なくとも一方が停止するタイミングとを有する
発光表示装置。